(57)【要約】【課題】塵芥の汚水が駆動手段を設けた塵芥収容箱の前部に侵入するのを防止でき、これにより汚水による駆動手段の腐食や故障を確実に防止することができ、耐久性の向上を図ることができるとともに、前部が衛生的でありこの前部でのメンテナンスなどを快適に行うことができる塵芥収集装置を提供する。【解決手段】塵芥を収容する塵芥収容箱２の後部に、塵芥積込装置を備えた塵芥投入箱３が連接され、塵芥投入箱３に投入された塵芥を塵芥積込装置により塵芥収容箱２に収容するとともに、車輌の車体上と地上との間で積降ろし自在になされた塵芥収集装置１において、塵芥収容箱１内において駆動手段９を設けた前部２ｂと塵芥を収容する塵芥収容部２ｃとの境界には、これら前部２ｂと塵芥収容部２ｃとを遮蔽する仕切板２０が設けられている。仕切板２０には、開閉扉で開閉自在な開口が設けられている。【選択図】  図１
2004284814.tif 000002
【特許請求の範囲】
【請求項１】
塵芥を収容する塵芥収容箱の後部に、塵芥積込装置を備えた塵芥投入箱が連接され、塵芥投入箱に投入された塵芥を塵芥積込装置により塵芥収容箱に収容するとともに、車輌の車体上と地上との間で積降ろし自在になされた塵芥収集装置において、
前記塵芥収容箱内において駆動手段を設けた前部と塵芥を収容する塵芥収容部との境界には、これら前部と塵芥収容部とを遮蔽する仕切板が設けられたことを特徴とする塵芥収集装置。
【請求項２】
前記仕切板には、開閉扉で開閉自在な開口が設けられたことを特徴とする請求項１記載の塵芥収集車。
【発明の詳細な説明】
【０００１】
【発明の属する技術分野】
本発明は、車輌の車体上と地上との間で積降ろし自在になされ、塵芥投入箱に投入された塵芥を塵芥積込装置により塵芥収容箱に収容する塵芥収集装置に関するものである。
【０００２】
【従来の技術】
従来、塵芥を収容する塵芥収容箱の後部に、塵芥積込装置を備えた塵芥投入箱が連接された塵芥収集装置があり、この塵芥収集装置が車輌に設けられた荷役装置により当該車輌の車体上と地上との間で積降ろし自在になされている。
【０００３】
このような塵芥収集装置には、その塵芥収容箱の前部に駆動手段が配設されており、この駆動手段によって塵芥積込装置を作動させて塵芥投入箱に投入された塵芥を塵芥収容箱に積込んで収容するようにしている。また、上記塵芥収容箱内の上記前部よりも後方には排出板が前後方向に摺動自在に設けられており、塵芥収容箱への塵芥の積込みに従って後方から駆動手段が設けられた前部に近接する前方まで徐々に移動することによって、塵芥を効率よく塵芥収容箱内に収容するようにしている。つまり、塵芥収容箱内は排出板よりも後方が塵芥を収容する塵芥収容部になっており、この排出板の前方に駆動手段が配置されている。
【０００４】
従って、塵芥収集装置を車輌に積込んで目的地まで運搬し、当該目的地で地上に降ろして設置しておくことで、塵芥収集装置単独で塵芥を塵芥収容箱に収容し、塵芥が満杯等になれば車輌に積込んで処理場に運搬して塵芥を廃棄している（例えば、特許文献１参照）。
【０００５】
【特許文献１】
特開平１１−１６５５７９号公報
【０００６】
【発明が解決しようとする課題】
しかしながら、上記従来の塵芥収集装置では、駆動手段の後方は排出板でのみ塵芥収容部と区画されているため、塵芥の積込みによって当該塵芥から出る汚水が排出板と塵芥収容箱の内壁との隙間から駆動手段を設置した前部に大量に侵入する。このように塵芥の汚水が大量に駆動手段に侵入すると、この汚水が駆動手段にかかり、これにより駆動手段に腐食や故障などの悪影響を及ぼして耐久性の低下を招くとともに、衛生面でも好ましくないという問題があった。
【０００７】
【課題を解決するための手段】
請求項１に係る発明の塵芥収集装置は、塵芥を収容する塵芥収容箱の後部に、塵芥積込装置を備えた塵芥投入箱が連接され、塵芥投入箱に投入された塵芥を塵芥積込装置により塵芥収容箱に収容するとともに、車輌の車体上と地上との間で積降ろし自在になされた塵芥収集装置において、前記塵芥収容箱内において駆動手段を設けた前部と塵芥を収容する塵芥収容部との境界には、これら前部と塵芥収容部とを遮蔽する仕切板が設けられたものである。
【０００８】
請求項２に係る発明の塵芥収集装置は、前記仕切板には、開閉扉で開閉自在な開口が設けられたものである。
【０００９】
【発明の実施の形態】
以下、本発明の実施の形態を図面を参照して説明する。
【００１０】
図１は、本発明の塵芥収集装置の構成を示している。
【００１１】
この塵芥収集装置１は、塵芥収容箱２と、該塵芥収容箱２の後方開口部に枢軸２ａを以て傾動自在に連設され、前面を開放した塵芥投入箱３とを備えている。
【００１２】
前記塵芥投入箱３には、その後面に投入口３ａ（図２参照）が開閉自在に設けられるとともに、その内部に図２に示す塵芥積込装置４が装備されている。塵芥積込装置４は、塵芥投入箱３の側面に図示しない駆動モータにより基端５ａを中心にして回転自在に設けられた回転板５と、該回転板５の上方に揺動シリンダ６ｂにより上部６ａを中心にして揺動自在に設けられた押込板６とで構成されている。
【００１３】
このように構成された塵芥積込装置４は、回転板５の回転動作に応じて押込板６を揺動させることで、塵芥投入箱３の投入口３ａから投入された塵芥を回転板５で押しつぶして圧縮した後、押込板６によって塵芥収容箱２に積み込むようにしている。
【００１４】
また、前記塵芥収容箱２内には、図１に示すように排出板７が排出シリンダ８の伸縮動作により前後方向に摺動自在に設けられている。この排出板７は、塵芥を収容する初期の段階では後部に配置されている。そして、前記塵芥積込装置４による塵芥の積込みにより排出板７に作用する前方への押圧力が所定圧以上になると徐々に前方にスライドして移動するようになされている。これにより塵芥は圧縮された状態で塵芥収容箱２内に収容される。
【００１５】
一方、塵芥収容箱２内の前部２ｂには、前述した駆動モータ、揺動シリンダ６ｂ及び排出シリンダ８等を作動させるための駆動手段９が設けられている。この駆動手段９は、図３に示すように独立エンジン１０、油圧ポンプ１１、オイルタンク１２、制御バルブ１３などを備え、独立エンジン１０により油圧ポンプ１１を駆動させて圧油を制御バルブ１３を通じて駆動モータ、揺動シリンダ６ｂ及び排出シリンダ８等に供給することで、これら駆動モータ、揺動シリンダ６ｂ及び排出シリンダ８等を作動させるようにしている。
【００１６】
そして、このように塵芥収容箱２の前部２ｂに設置された駆動手段９の後方には、当該駆動手段９に面して仕切板２０が設けられている。
【００１７】
この仕切板２０は、塵芥収容箱２内において上記前部２ｂと後方の空間を遮蔽するためのもので、このようにして仕切板２０により区画された後部が前記排出板７を有する塵芥収容部２ｃになっている。つまり、仕切板２０は、塵芥収容箱２内において駆動手段９を設けた前部２ｂと塵芥収容部２ｃとの境界に設けられており、これら両者の空間を遮蔽するようにしている。
【００１８】
このように仕切板２０を設けたことで、本実施の形態では設置スペースの関係上、排出シリンダ８を図１に示すように仕切板２０を挿通させて排出板７の前面から前部２ｂにかけて配置している。つまり、仕切板２０には排出シリンダ８の伸縮動作に対応できる長さの長孔（図示省略）が上下方向に形成されており、この長孔に排出シリンダ８を挿通させている。なお、この長孔の隙間を通じて後述するように塵芥収容部２ｃから塵芥の汚水が前部２ｂに侵入するのを防止するために、上記隙間を埋める弾性部材などからなるシール機構を設けており、これにより仕切板２０によって前部２ｂと塵芥収容部２ｃとを略完全な状態で遮蔽している。また、塵芥収容部２ｃ内の排出板７前方に設置スペースの余裕がある場合は、このスペースに排出シリンダ８を設置することで、前部２ｂと塵芥収容部２ｃとを仕切板２０によって完全に遮蔽することができる。
【００１９】
そして、上記仕切板２０には、図４に示すように左右に２枚の開閉扉２１、２２が設けられており、これら２枚の開閉扉２１、２２によって仕切板２０に形成された各開口を開閉するように構成されている。
【００２０】
具体的には、オイルタンク１２の後方に開閉扉２１が、独立エンジン１０の後方に開閉扉２２が設けられ、例えば、開閉扉２１、２２を開口に対して着脱することで当該開口を開閉するようにしている。また、仕切板２０と排出板７前方との間の空間スペースに余裕があれば、各開閉扉２１、２２を塵芥収容部２ｃ側に開放するように設けてもよく、さらに、前部２ｂの空間スペースに余裕がある場合には、各開閉扉２１、２２を前部２ｂ側に開放するように設けても差し支えはない。
【００２１】
これら開閉扉２１、２２は、主にメンテナンスなどの際に使用される。例えば、開閉扉２１を開放して前部２ｂから塵芥収容部２ｃの排出板７前方に入って排出板７をメンテナンスする場合や、また、図３に示す場合では独立エンジン１０と開閉扉２２との間の空間が狭いため、開閉扉２１を開放して前部２ｂから塵芥収容部２ｃ側に入って、この塵芥収容部２ｃ側から開閉扉２２を開放して独立エンジン１０の後部側をメンテナンスする場合に利用する。
【００２２】
そして、このように構成された塵芥収集装置１は、図５に示すような荷役装置３１を備えた荷役車輌３０によりその車体３０ａ上と地上との間で積降ろし自在になされている。
【００２３】
このため、前述した塵芥収集装置１には、図１に示すようにその前面上部に後述する荷役装置３１のフック３４が係脱する係合ピン１５が設けられるとともに、地上に設置した際にこの装置本体を支持するために底面前部に支持脚１６が、底面後部に支持ローラ１７が設けられている。
【００２４】
前記荷役装置３１は、具体的には、図５に示すように塵芥収集装置１を車体３０ａ上に搭載した状態において水平に配置される水平部３２と、同状態において垂直に配置される垂直部３３とからなり、全体としてＬ字状に形成されている。
【００２５】
水平部３２は、車体３０ａの後部に回動自在に支持されたダンプフレーム３２ａを介してその後端部が回動自在に支持されている。
【００２６】
垂直部３３は、その先端に塵芥収集装置１に設けられた係合ピン１５と係脱自在なフック３４が設けられている。
【００２７】
また、前記水平部３２と車体３０ａとの間には、起伏シリンダ３５が連設されており、この起伏シリンダ３５の伸縮動作により荷役装置３１がその水平部３２の後端部を中心にして前後方向に回動自在に構成されている。
【００２８】
さらに、車体３０ａの後端部には、塵芥収集装置１を当該車体３０ａと地上との間で円滑に積降ろすためのローラ３６が設けられている。
【００２９】
そして、この荷役車輌３０による塵芥収集装置１の積降ろしは、まず、図示はしないが車体３０ａ上に塵芥収集装置１を搭載した状態で、起伏シリンダ３５により荷役装置３１を上方に回動させて塵芥収集装置１を傾動させながら、当該荷役装置３１を後方に回動させることで、塵芥収集装置１を図５に示すように車体３０ａ上から地上に降ろして設置することができる。また、上述と逆の動作により地上に設置している塵芥収集装置１を車体３０ａ上に積込むことができる。
【００３０】
この際、塵芥収集装置１の支持脚１６は、地上に設置する際には折り畳んだ状態から図１及び図５に示すように下方に延ばした状態で地上に接地して、塵芥収容箱２を略水平状態に支持し、また、車体３０ａ上に積込む際には折り畳んで車体３０ａなどと干渉しないようにしている。
【００３１】
従って、塵芥収集装置１を荷役車輌３０に積込んで目的地まで運搬し、当該目的地で地上に降ろして設置しておくことで、この塵芥収集装置１単独で塵芥を塵芥収容箱２に収容することができる。具体的には、塵芥投入箱３に投入口３ａを通じて塵芥を投入し、駆動手段９により塵芥積込装置４を作動させることで、塵芥を塵芥収容箱２に積込んでいく。
【００３２】
この際、塵芥積込装置４と排出板７とで塵芥が圧縮されながら積込まれることから、この圧縮によって塵芥から出た汚水が塵芥収容部２ｃ内に溜まることになる。しかし、駆動手段９を設置した前部２ｂは、仕切板２０によって塵芥収容部２ｃから遮蔽されているので、塵芥収容部２ｃ内の汚水が侵入することがない。
【００３３】
このため、汚水による駆動手段９の腐食や故障を確実に防止することができ、耐久性の向上を図ることができる。また、このように仕切板２０により前部２ｂと塵芥貯留部２ｃとを遮蔽しても、開閉扉２１、２２を通じて駆動手段９や排出板７前方の塵芥貯留部２ｃのメンテナンス作業を容易に行うことができる。
【００３４】
そして、塵芥収容部２ｃの塵芥が満杯等になればこの塵芥収集装置１を地上から荷役車輌３０に積込んで処理場に運搬して塵芥を廃棄する。この際には、まず、塵芥投入箱３を上方に傾動させて塵芥収容箱２の後部を開口させる。この後、前述した塵芥の収容により前部に配置された排出板７を後方に移動させることにより、塵芥収容部２ｃ内の塵芥をこの排出板７の押出作用によって後部開口から排出する。
【００３５】
なお、上述した実施形態は、あくまでも本発明の好適な実施態様を示すものであって、本発明はこれに限定されることなく、その範囲内において種々設計変更可能である。
【００３６】
例えば、塵芥積込装置４として、回転板５と押込板６とで構成したものについて説明したが、これに限らず他の構成の塵芥積込装置を適用してもよい。
【００３７】
また、塵芥収集装置１を荷役装置３１により車体３０ａと地上との間で積降ろすようにしたものについて説明したが、車体３０ａと地上間での積降ろし手段はこれに限定されるものではない。
【００３８】
さらに、駆動手段９は、前述した独立エンジン１０や油圧ポンプ１１などからなる構成に限らず、例えば電動モータを駆動源として揺動シリンダ６ｂ及び排出シリンダ８等を作動させる構成にしてもよい。
【００３９】
また、排出板７により収容した塵芥を排出するものについて説明したが、本実施形態で説明した荷役装置３１であれば、車体３０ａ上において塵芥収集装置１を上方に傾動させることができるため、この傾動動作を利用して塵芥収容部２ｃに収容した塵芥を排出するようにしてもよい。この場合には排出板７が不要になる。
【００４０】
【発明の効果】
以上述べたように、本発明の塵芥収集装置によれば、塵芥収容箱内において駆動手段を設けた前部と塵芥を収容する塵芥収容部との境界に、これら前部と塵芥収容部とを遮蔽する仕切板を設けたことで、塵芥の積込みにより塵芥収容部に溜まる当該塵芥の汚水が駆動手段を設けた前部に侵入するのを防止でき、これにより汚水による駆動手段の腐食や故障を確実に防止することができ、耐久性の向上を図ることができるとともに、前部が衛生的でありこの前部でのメンテナンスなどを快適に行うことができる。
【図面の簡単な説明】
【図１】本発明の塵芥収集装置の構成を示す一部切欠の側面図である。
【図２】塵芥積込装置の構成を示す概略の側面図である。
【図３】塵芥収容箱内の前部に設置された駆動手段を示す平面図である。
【図４】仕切板を示す正面図である。
【図５】荷役車輌、並びに荷役車輌による塵芥収集装置の積降ろし動作を示す側面図である。
【符号の説明】
１  塵芥収集装置
２  塵芥収容箱
２ｂ  前部
２ｃ  塵芥収容部
３  塵芥投入箱
４  塵芥積込装置
９  駆動手段
２０  仕切板
２１、２２  開閉扉
３０  荷役車輌（車輌）
３０ａ  車体
【図１】
2004284814.tif 000003
【図２】
2004284814.tif 000004
【図３】
2004284814.tif 000005
【図４】
2004284814.tif 000006
【図５】
2004284814.tif 000007